【手続補正書】
【提出日】令和2年6月19日(2020.6.19)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
セルに対するセル識別子に関連付けられた基地局によって、第1の処理段階をチャネルの複数のブロックに適用するステップであって、
前記複数のブロックのうちの各ブロックが、シンボルのセットの繰り返しを含み、
前記第1の処理段階を適用するとき、前記複数のブロックのうちの各ブロックが、前記ブロックのブロックインデックスおよび前記セル識別子に基づいて初期化される複数のスクランブリングシーケンスのうちの1つのスクランブリングシーケンスを使用してスクランブルされる、ステップと、
前記基地局によって、第2の処理段階を前記シンボルのセットの繰り返しに適用するステップであって、
前記第2の処理段階を適用するとき、各ブロックに対する前記シンボルのセットの繰り返しの各繰り返しが、前記セル識別子と前記繰り返しの繰り返しインデックスとの非線形結合に基づいて初期化される複数の回転シーケンスのうちの1つの異なる回転シーケンスを使用して回転される、ステップと、
前記基地局によって、前記セル識別子を示す、1次同期信号(PSS)または2次同期信号(SSS)を送信するステップと、
前記基地局によって、前記第1の処理段階と前記第2の処理段階とを前記チャネルの1つまたは複数のビットに適用した後に、前記チャネルを送信するステップと
を含む、方法。
【請求項２】
複数の位相回転が、式
【数１】
2020507269.tif 000001
に基づいて前記シンボルのセットの繰り返しに適用される、請求項1に記載の方法。
【請求項３】
前記複数のスクランブリングシーケンスが、式
【数２】
2020507269.tif 000002
に基づいて初期化される、請求項1に記載の方法。
【請求項４】
前記チャネルが、物理ブロードキャストチャネルである、請求項1に記載の方法。
【請求項５】
前記繰り返しインデックスが、無線フレーム番号に基づく、請求項1に記載の方法。
【請求項６】
複数のバイナリシーケンスのうちの1つのバイナリシーケンスが、前記シンボルのセットの繰り返しに関連付けられた各繰り返しインデックスに対して生成され、
前記複数の回転シーケンスが、前記複数のバイナリシーケンスに基づいて生成される、請求項1に記載の方法。
【請求項７】
前記複数のバイナリシーケンスが、バイナリ生成器に基づいて取得され、
前記バイナリ生成器が、対応するセル識別子および対応する繰り返しインデックスに基づいて、前記複数のバイナリシーケンスのうちの各バイナリシーケンスに対して初期化される、請求項6に記載の方法。
【請求項８】
前記複数のバイナリシーケンスが、バイナリ生成器に基づいて取得され、
前記バイナリ生成器が、前記セル識別子と前記繰り返しインデックスとの前記非線形結合に関連付けられたバイナリベクトルに基づいて、前記複数のバイナリシーケンスのうちの各バイナリシーケンスに対して初期化される、請求項6に記載の方法。
【請求項９】
ワイヤレス通信のための方法であって、
ユーザ機器(UE)によって、セルに対するセル識別子に関連付けられた基地局から、前記セル識別子を示す、1次同期信号(PSS)または2次同期信号(SSS)を受信するステップと、
前記UEによって、前記基地局から前記PSSまたは前記SSSを受信した後に、前記基地局からチャネルを受信するステップであって、
前記チャネルの複数のブロックのうちの各ブロックが、シンボルのセットの繰り返しを含み、
前記複数のブロックのうちの各ブロックが、前記ブロックのブロックインデックスおよび前記セルに対する前記セル識別子に基づいて初期化される複数のスクランブリングシーケンスのうちの1つのスクランブリングシーケンスを使用してスクランブルされ、
各ブロックに対する前記シンボルのセットの繰り返しの各繰り返しが、前記セルに対する前記セル識別子と前記繰り返しの繰り返しインデックスとの非線形結合に基づいて初期化される複数の回転シーケンスのうちの1つの異なる回転シーケンスを使用して回転される、ステップと、
前記UEによって、前記複数のブロックに適用される第1の処理段階を受信するステップと、
前記UEによって、前記シンボルのセットの繰り返しに適用される第2の処理段階を受信するステップと
を含む、方法。
【請求項１０】
複数の位相回転が、式
【数３】
2020507269.tif 000003
に基づいて前記シンボルのセットの繰り返しに適用される、請求項9に記載の方法。
【請求項１１】
前記複数のスクランブリングシーケンスが、式
【数４】
2020507269.tif 000004
に基づいて初期化される、請求項9に記載の方法。
【請求項１２】
前記チャネルが、物理ブロードキャストチャネルである、請求項9に記載の方法。
【請求項１３】
前記繰り返しインデックスが、無線フレーム番号に基づく、請求項9に記載の方法。
【請求項１４】
複数のバイナリシーケンスのうちの1つのバイナリシーケンスが、前記シンボルのセットの繰り返しに関連付けられた各繰り返しインデックスに対して生成され、
前記複数の回転シーケンスが、前記複数のバイナリシーケンスに基づいて生成される、請求項9に記載の方法。
【請求項１５】
前記複数のバイナリシーケンスが、バイナリ生成器に基づいて取得され、
前記バイナリ生成器が、前記複数のバイナリシーケンスのうちの各バイナリシーケンスに対して初期化される、請求項14に記載の方法。
【請求項１６】
ワイヤレス通信のための方法であって、
セルに対するセル識別子に関連付けられた基地局によって、1つまたは複数の処理段階をチャネルの1つまたは複数のビットに適用するステップであって、
前記チャネルが、複数のサブフレーム内のビットのセットの複数の繰り返しを含み、
前記1つまたは複数の処理段階を適用するとき、前記複数の繰り返しのうちの各繰り返しが、前記セル識別子と繰り返しインデックスとの非線形結合に基づいて初期化される複数の異なるスクランブリングシーケンスのうちの1つの異なるスクランブリングシーケンスを使用してスクランブルされる、ステップと、
前記基地局によって、前記セル識別子を示す、1次同期信号(PSS)または2次同期信号(SSS)を送信するステップと、
前記基地局によって、前記1つまたは複数の処理段階を前記チャネルの前記1つまたは複数のビットに適用した後に、前記チャネルを送信するステップと
を含む、方法。
【請求項１７】
前記複数の異なるスクランブリングシーケンスのうちの各スクランブリングシーケンスが、複数のビットのタプルを含み、
各繰り返しが、前記複数の異なるスクランブリングシーケンスのうちの1つの対応するスクランブリングシーケンスに関連付けられた前記複数のビットのタプルのうちの1つのビットのタプルに基づいてスクランブルされる、請求項16に記載の方法。
【請求項１８】
前記チャネルが、システム情報ブロックタイプ1(SIB1)を伝達する、請求項16に記載の方法。
【請求項１９】
複数のバイナリシーケンスのうちの各バイナリシーケンスが、バイナリ生成器に基づいて取得され、
前記バイナリ生成器が、前記セル識別子および前記繰り返しインデックスに基づいて初期化され、
前記複数のスクランブリングシーケンスが、前記複数のバイナリシーケンスのうちの1つの対応するバイナリシーケンスに基づいて取得される、請求項16に記載の方法。
【請求項２０】
前記バイナリ生成器が、前記セル識別子と前記繰り返しインデックスとの前記非線形結合に関連付けられたバイナリベクトルに基づいて初期化される、請求項19に記載の方法。
【請求項２１】
前記繰り返しインデックスが、無線フレーム番号に基づく、請求項16に記載の方法。
【請求項２２】
前記複数のスクランブリングシーケンスが、Gold符号に基づいて決定される、請求項16に記載の方法。
【請求項２３】
前記複数の異なるスクランブリングシーケンスが、式
【数５】
2020507269.tif 000005
または
【数６】
2020507269.tif 000006
に基づく、請求項16に記載の方法。
【請求項２４】
前記チャネルが、物理共有チャネルである、請求項16に記載の方法。
【請求項２５】
ワイヤレス通信のための方法であって、
ユーザ機器(UE)によって、セルに対するセル識別子に関連付けられた基地局から、前記セル識別子を示す、1次同期信号(PSS)または2次同期信号(SSS)を受信するステップと、
前記UEによって、前記基地局から前記PSSまたは前記SSSを受信した後に、前記基地局からチャネルを受信するステップであって、
前記チャネルが、複数のサブフレーム内のビットのセットの複数の繰り返しを含み、
前記複数の繰り返しのうちの各繰り返しが、前記セル識別子と繰り返しインデックスとの非線形結合に基づいて初期化される複数の異なるスクランブリングシーケンスのうちの1つの異なるスクランブリングシーケンスを使用してスクランブルされ、
前記繰り返しインデックスが、無線フレーム番号に基づく、ステップと、
前記ユーザ機器によって、前記チャネルの1つまたは複数のビットに適用される1つまたは複数の処理段階を受信するステップと
を含む、方法。
【請求項２６】
前記複数の異なるスクランブリングシーケンスのうちの各スクランブリングシーケンスが、複数のビットのタプルを含み、
各繰り返しが、前記複数の異なるスクランブリングシーケンスのうちの1つの対応するスクランブリングシーケンスに関連付けられた前記複数のビットのタプルのうちの1つのビットのタプルに基づいてスクランブルされる、請求項25に記載の方法。
【請求項２７】
前記チャネルが、システム情報ブロックタイプ1(SIB1)を伝達する、請求項25に記載の方法。
【請求項２８】
複数のバイナリシーケンスのうちの各バイナリシーケンスが、バイナリ生成器に基づいて取得され、
前記バイナリ生成器が、前記セル識別子および前記繰り返しインデックスに基づいて初期化され、
前記複数のスクランブリングシーケンスが、前記複数のバイナリシーケンスのうちの1つの対応するバイナリシーケンスに基づいて取得される、請求項25に記載の方法。
【請求項２９】
前記バイナリ生成器が、前記セル識別子と前記繰り返しインデックスとの前記非線形結合に関連付けられたバイナリベクトルに基づいて初期化される、請求項28に記載の方法。
【請求項３０】
前記非線形結合が、前記セル識別子と前記繰り返しインデックスとに基づいた積である少なくとも1つの項を含む、請求項25に記載の方法。